(57)【要約】【課題】複数の「モノ（部品）」から構成されている「モノ（完成品）」の存在を考慮したユビキタスコンピューティングを実現する。【解決手段】第１のＩＣチップＣが、リレーション情報を有している旨を示す第１のＩＣチップＩＤ「Ｃ」と第２のＩＣチップＢとのリレーション情報１１ｄとプログラム１１ｃとを記憶する記憶部１１及び無線通信部１２のみを具備し、第２のＩＣチップＢが、リレーション情報を有していない旨を示す第２のＩＣチップＩＤ「Ｂ」を記憶する記憶部１１及び無線通信部１２のみを具備する。情報管理サーバ５０は、情報収集装置Ａからの第１の登録要求に応じて第１のＩＣチップＩＤ「Ｃ」及び情報収集装置ＩＤ「Ａ」を関連付けて登録し、情報収集装置Ａからの第２の登録要求に応じて第１のＩＣチップＩＤ「Ｃ」及び第２のＩＣチップＩＤ「Ｂ」を関連付けて登録する登録部を具備する。【選択図】      図１
2004246505.tif 000002
【特許請求の範囲】
【請求項１】
情報収集装置と情報管理サーバとを用いて複数のＩＣチップを管理するように構成されたＩＣチップ管理システムであって、
第１のＩＣチップは、該第１のＩＣチップを識別しつつリレーション情報を有している旨を示す第１のＩＣチップＩＤと、第２のＩＣチップとのリレーション情報と、プログラムとを記憶する記憶部、及び無線通信部のみを具備しており、
前記第２のＩＣチップは、該第２のＩＣチップを識別しつつ前記リレーション情報を有していない旨を示す第２のＩＣチップＩＤを記憶する記憶部、及び無線通信部のみを具備しており、
前記情報収集装置は、
前記第１のＩＣチップ及び前記第２のＩＣチップの無線通信部を介して、それぞれ前記第１のＩＣチップＩＤ及び前記第２のＩＣチップＩＤを取得するＩＣチップＩＤ取得部と、
前記第１のＩＣチップＩＤに基づいて、前記第１のＩＣチップの無線通信部を介して、前記第２のＩＣチップとのリレーション情報を取得するリレーション情報取得部と、
前記第１のＩＣチップＩＤと該情報収集装置を識別する情報収集装置ＩＤとを含む第１の登録要求を前記情報管理サーバに送信し、前記第２のＩＣチップとのリレーション情報に基づいて前記第２のＩＣチップＩＤを前記第１のＩＣチップＩＤに関連付けて登録するように要求する第２の登録要求を前記情報管理サーバに送信する登録要求送信部と、
前記情報管理サーバからの登録完了応答に応じて、前記第１のＩＣチップの無線通信部を介して、前記第１のＩＣチップの記憶部に記憶されている前記プログラムを取得するプログラム取得部と、
取得した前記プログラムを実行するプログラム実行部と、
前記第１のＩＣチップＩＤと前記プログラムの実行結果に係るプログラム情報と前記第２のＩＣチップＩＤとのリレーション情報とを関連付けて管理する管理部とを具備し、
前記情報管理サーバは、
前記情報収集装置から送信された前記第１の登録要求に応じて、前記第１のＩＣチップＩＤ及び前記情報収集装置ＩＤを関連付けて登録し、前記情報収集装置から送信された前記第２の登録要求に応じて、前記第１のＩＣチップＩＤ及び前記第２のＩＣチップＩＤを関連付けて登録する登録部と、
前記登録が完了した際に、前記登録完了応答を前記情報収集装置に送信する登録完了応答送信部とを具備することを特徴とするＩＣチップ管理システム。
【請求項２】
前記情報収集装置は、所定期間、前記ＩＣチップＩＤ取得部によって前記第１のＩＣチップＩＤが取得されなかった場合、該第１のＩＣチップＩＤを含む削除要求を前記情報管理サーバに送信する削除要求送信部を具備し、
前記情報管理サーバの登録部は、前記情報収集装置から送信された前記削除要求に含まれる前記第１のＩＣチップＩＤに係る登録を削除することを特徴とする請求項１に記載のＩＣチップ管理システム。
【請求項３】
前記情報管理サーバは、前記情報収集装置から送信された前記第１の登録要求に含まれる前記第１のＩＣチップＩＤが、前記登録部において他の情報識別情報を識別する他の情報収集装置ＩＤと関連付けられて登録されている場合、該他の情報収集装置に対して、該第１のＩＣチップＩＤと前記第１の登録要求に含まれる情報収集装置ＩＤとを含む移動通知を送信する移動通知部を具備し、
前記情報管理サーバの登録部は、前記第１のＩＣチップＩＤと前記情報収集装置ＩＤとを関連付けて登録し、
前記他の情報収集装置のプログラム実行部は、前記移動通知に応じて、前記プログラム情報を前記情報収集装置に送信することを特徴とする請求項１に記載のＩＣチップ管理システム。
【請求項４】
複数のＩＣチップを管理するように構成されたＩＣチップ管理システムで用いられる情報収集装置であって、
第１のＩＣチップは、該第１のＩＣチップを識別しつつリレーション情報を有している旨を示す第１のＩＣチップＩＤと、第２のＩＣチップとのリレーション情報と、プログラムとを記憶する記憶部、及び無線通信部のみを具備しており、
前記第２のＩＣチップは、該第２のＩＣチップを識別しつつ前記リレーション情報を有していない旨を示す第２のＩＣチップＩＤを記憶する記憶部、及び無線通信部のみを具備しており、
前記第１のＩＣチップ及び前記第２のＩＣチップの無線通信部を介して、それぞれ前記第１のＩＣチップＩＤ及び前記第２のＩＣチップＩＤを取得するＩＣチップＩＤ取得部と、
前記第１のＩＣチップＩＤに基づいて、前記第１のＩＣチップの無線通信部を介して、前記第２のＩＣチップとのリレーション情報を取得するリレーション情報取得部と、
前記第１のＩＣチップＩＤと該情報収集装置を識別する情報収集装置ＩＤとを含む第１の登録要求を前記情報管理サーバに送信し、前記第２のＩＣチップとのリレーション情報に基づいて前記第２のＩＣチップＩＤを前記第１のＩＣチップＩＤに関連付けて登録するように要求する第２の登録要求を前記情報管理サーバに送信する登録要求送信部と、
前記情報管理サーバからの登録完了応答に応じて、前記第１のＩＣチップの無線通信部を介して、前記第１のＩＣチップの記憶部に記憶されている前記プログラムを取得するプログラム取得部と、
取得した前記プログラムを実行するプログラム実行部と、
前記第１のＩＣチップＩＤと前記プログラムの実行結果に係るプログラム情報と前記第２のＩＣチップＩＤとのリレーション情報とを関連付けて管理する管理部とを具備することを特徴とする情報収集装置。
【請求項５】
複数のＩＣチップを管理するように構成されたＩＣチップ管理システムで用いられる情報管理サーバあって、
第１のＩＣチップは、該第１のＩＣチップを識別しつつリレーション情報を有している旨を示す第１のＩＣチップＩＤと、第２のＩＣチップとのリレーション情報と、プログラムとを記憶する記憶部、及び無線通信部のみを具備しており、
前記第２のＩＣチップは、該第２のＩＣチップを識別しつつ前記リレーション情報を有していない旨を示す第２のＩＣチップＩＤを記憶する記憶部、及び無線通信部のみを具備しており、
情報収集装置から送信された第１の登録要求に応じて、前記第１のＩＣチップＩＤ及び前記情報収集装置を識別する情報収集装置ＩＤを関連付けて登録し、前記情報収集装置から送信された第２の登録要求に応じて、前記第１のＩＣチップＩＤ及び前記第２のＩＣチップＩＤを関連付けて登録する登録部と、
前記登録が完了した際に、前記登録完了応答を前記情報収集装置に送信する登録完了応答送信部とを具備することを特徴とする情報管理サーバ。
【発明の詳細な説明】
【０００１】
【発明の属する技術分野】
本発明は、複数のＩＣチップを管理するように構成されたＩＣチップ管理システム、情報収集装置及び情報管理サーバに関する。
【０００２】
【従来の技術】
近年、あらゆる「モノ」が、通信手段を持ち、自ら判断を行い、処理を行うことができるような世界、すなわち「ユビキタスコンピューティング」という概念が広まっている（例えば、非特許文献１参照）。
【０００３】
【非特許文献１】
知的資産創造、２００２年１月号、第８１乃至８２頁
【０００４】
【発明が解決しようとする課題】
しかしながら、上述のユビキタスコンピューティングでは、複数の「モノ（部品）」から構成されている「モノ（完成品）」の存在が一切考慮されていないというのが現状である。したがって、上述のユビキタスコンピューティングでは、複数の「モノ（部品）」が一体となって構成する「モノ（完成品）」が存在する場合であっても、当該複数の「モノ（部品）」の各々を別個に管理することになり、管理負荷が増大するという問題点があった。
【０００５】
そこで、本発明は、以上の点に鑑みてなされたもので、複数の「モノ（部品）」から構成されている「モノ（完成品）」の存在を考慮したユビキタスコンピューティングを実現するためのＩＣチップ管理システム、情報収集装置及び情報管理サーバを提供することを目的とする。
【０００６】
【課題を解決するための手段】
本発明の第１の特徴は、情報収集装置と情報管理サーバとを用いて複数のＩＣチップを管理するように構成されたＩＣチップ管理システムであって、第１のＩＣチップが、該第１のＩＣチップを識別しつつリレーション情報を有している旨を示す第１のＩＣチップＩＤと、第２のＩＣチップとのリレーション情報と、プログラムとを記憶する記憶部、及び無線通信部のみを具備しており、前記第２のＩＣチップが、該第２のＩＣチップを識別しつつ前記リレーション情報を有していない旨を示す第２のＩＣチップＩＤを記憶する記憶部、及び無線通信部のみを具備しており、前記情報収集装置が、前記第１のＩＣチップ及び前記第２のＩＣチップの無線通信部を介して、それぞれ前記第１のＩＣチップＩＤ及び前記第２のＩＣチップＩＤを取得するＩＣチップＩＤ取得部と、前記第１のＩＣチップＩＤに基づいて、前記第１のＩＣチップの無線通信部を介して、前記第２のＩＣチップとのリレーション情報を取得するリレーション情報取得部と、前記第１のＩＣチップＩＤと該情報収集装置を識別する情報収集装置ＩＤとを含む第１の登録要求を前記情報管理サーバに送信し、前記第２のＩＣチップとのリレーション情報に基づいて前記第２のＩＣチップＩＤを前記第１のＩＣチップＩＤに関連付けて登録するように要求する第２の登録要求を前記情報管理サーバに送信する登録要求送信部と、前記情報管理サーバからの登録完了応答に応じて、前記第１のＩＣチップの無線通信部を介して、前記第１のＩＣチップの記憶部に記憶されている前記プログラムを取得するプログラム取得部と、取得した前記プログラムを実行するプログラム実行部と、前記第１のＩＣチップＩＤと前記プログラムの実行結果に係るプログラム情報と前記第２のＩＣチップＩＤとのリレーション情報とを関連付けて管理する管理部とを具備し、前記情報管理サーバが、前記情報収集装置から送信された前記第１の登録要求に応じて、前記第１のＩＣチップＩＤ及び前記情報収集装置ＩＤを関連付けて登録し、前記情報収集装置から送信された前記第２の登録要求に応じて、前記第１のＩＣチップＩＤ及び前記第２のＩＣチップＩＤを関連付けて登録する登録部と、前記登録が完了した際に、前記登録完了応答を前記情報収集装置に送信する登録完了応答送信部とを具備することを要旨とする。
【０００７】
かかる発明によれば、情報管理サーバの登録部が、情報収集装置から送信された第１の登録要求に応じて、第１のＩＣチップＩＤ及び情報収集装置ＩＤを関連付けて登録し、情報収集装置から送信された第２の登録要求に応じて、第１のＩＣチップＩＤ及び第２のＩＣチップＩＤを関連付けて登録するため、第１のＩＣチップが付された「第１のモノ（第１の部品）」が、第２のＩＣチップが付された「第２のモノ（第２の部品）」を配下に包含するようにして構成されている「モノ（完成品）」が存在する場合に、複数の「第１のモノ（部品）」の各々を管理する必要がなくなり、情報管理サーバにおける管理負荷を軽減することができる。
【０００８】
また、かかる発明によれば、情報収集装置のプログラム実行部が、第１のＩＣチップの記憶部に記憶されているプログラムのみを実行するため、第１のＩＣチップが付された「第１のモノ（第１の部品）」が、第２のＩＣチップが付された「第２のモノ（第２の部品）」を配下に包含するようにして構成されている「モノ（完成品）」が存在する場合に、複数の「第１のモノ（部品）」の各々のプログラムを実行する必要がなくなり、情報収集装置におけるプログラムの実行負荷を軽減することができる。
【０００９】
本発明の第１の特徴において、前記情報収集装置が、所定期間、前記ＩＣチップＩＤ取得部によって前記第１のＩＣチップＩＤが取得されなかった場合、該第１のＩＣチップＩＤを含む削除要求を前記情報管理サーバに送信する削除要求送信部を具備し、前記情報管理サーバの登録部が、前記情報収集装置から送信された前記削除要求に含まれる前記第１のＩＣチップＩＤに係る登録を削除することが好ましい。
【００１０】
かかる発明によれば、情報管理サーバの登録部が、情報収集装置から送信された第１のＩＣチップＩＤを含む削除要求を受信した場合、当該第１のＩＣチップＩＤに係る登録（すなわち、第１のＩＣチップＩＤと第２のＩＣチップＩＤと情報収集装置ＩＤとを関連付けるレコード）を削除するため、情報収集装置の削除要求部が「モノ（完成品）」を構成する全ての「モノ（部品）」について削除要求を送信する必要がなく、情報管理サーバにおいて管理が不要となった「モノ（完成品）」に係る情報の削除を効率的に行うことができる。
【００１１】
本発明の第１の特徴において、前記情報管理サーバが、前記情報収集装置から送信された前記第１の登録要求に含まれる前記第１のＩＣチップＩＤが、前記登録部において他の情報識別情報を識別する他の情報収集装置ＩＤと関連付けられて登録されている場合、該他の情報収集装置に対して、該第１のＩＣチップＩＤと前記第１の登録要求に含まれる情報収集装置ＩＤとを含む移動通知を送信する移動通知部を具備し、前記情報管理サーバの登録部が、前記第１のＩＣチップＩＤと前記情報収集装置ＩＤとを関連付けて登録し、前記他の情報収集装置のプログラム実行部が、前記移動通知に応じて前記プログラム情報を前記情報収集装置に送信することが好ましい。
【００１２】
かかる発明によれば、情報管理サーバの移動通知部が、上述の「モノ（完成品）」の他の情報収集装置の管理下から所定の情報収集装置の管理下への移動を検知し、情報管理サーバの登録部が、第１のＩＣチップＩＤと第１の登録要求に含まれる情報収集装置ＩＤとを関連付けて登録するため、複数の「第１のモノ（部品）」からなる「モノ（完成品）」が移動した場合であっても、情報管理サーバにおける管理の変更を容易に行うことができる。
【００１３】
また、かかる発明によれば、他の情報収集装置のプログラム実行部が、「第１のモノ（部品）」に付されたＩＣチップに係るプログラム情報を所定の情報収集装置に送信するため、所定の情報収集装置のプログラム実行部は、他の情報収集装置によるプログラムの実行状態を継続してプログラムを実行することができる。
【００１４】
本発明の第２の特徴は、複数のＩＣチップを管理するように構成されたＩＣチップ管理システムで用いられる情報収集装置であって、第１のＩＣチップが、該第１のＩＣチップを識別しつつリレーション情報を有している旨を示す第１のＩＣチップＩＤと、第２のＩＣチップとのリレーション情報と、プログラムとを記憶する記憶部、及び無線通信部のみを具備しており、前記第２のＩＣチップが、該第２のＩＣチップを識別しつつ前記リレーション情報を有していない旨を示す第２のＩＣチップＩＤを記憶する記憶部、及び無線通信部のみを具備しており、前記第１のＩＣチップ及び前記第２のＩＣチップの無線通信部を介して、それぞれ前記第１のＩＣチップＩＤ及び前記第２のＩＣチップＩＤを取得するＩＣチップＩＤ取得部と、前記第１のＩＣチップＩＤに基づいて、前記第１のＩＣチップの無線通信部を介して、前記第２のＩＣチップとのリレーション情報を取得するリレーション情報取得部と、前記第１のＩＣチップＩＤと該情報収集装置を識別する情報収集装置ＩＤとを含む第１の登録要求を前記情報管理サーバに送信し、前記第２のＩＣチップとのリレーション情報に基づいて前記第２のＩＣチップＩＤを前記第１のＩＣチップＩＤに関連付けて登録するように要求する第２の登録要求を前記情報管理サーバに送信する登録要求送信部と、前記情報管理サーバからの登録完了応答に応じて、前記第１のＩＣチップの無線通信部を介して、前記第１のＩＣチップの記憶部に記憶されている前記プログラムを取得するプログラム取得部と、取得した前記プログラムを実行するプログラム実行部と、前記第１のＩＣチップＩＤと前記プログラムの実行結果に係るプログラム情報と前記第２のＩＣチップＩＤとのリレーション情報とを関連付けて管理する管理部とを具備することを要旨とする。
【００１５】
本発明の第２の特徴において、所定期間、前記ＩＣチップＩＤ取得部によって前記第１のＩＣチップＩＤが取得されなかった場合、該第１のＩＣチップＩＤを含む削除要求を前記情報管理サーバに送信する削除要求送信部を具備することが好ましい。
【００１６】
本発明の第３の特徴は、複数のＩＣチップを管理するように構成されたＩＣチップ管理システムで用いられる情報管理サーバあって、第１のＩＣチップが、該第１のＩＣチップを識別しつつリレーション情報を有している旨を示す第１のＩＣチップＩＤと、第２のＩＣチップとのリレーション情報と、プログラムとを記憶する記憶部、及び無線通信部のみを具備しており、前記第２のＩＣチップが、該第２のＩＣチップを識別しつつ前記リレーション情報を有していない旨を示す第２のＩＣチップＩＤを記憶する記憶部、及び無線通信部のみを具備しており、情報収集装置から送信された第１の登録要求に応じて、前記第１のＩＣチップＩＤ及び前記情報収集装置を識別する情報収集装置ＩＤを関連付けて登録し、前記情報収集装置から送信された第２の登録要求に応じて、前記第１のＩＣチップＩＤ及び前記第２のＩＣチップＩＤを関連付けて登録する登録部と、前記登録が完了した際に、前記登録完了応答を前記情報収集装置に送信する登録完了応答送信部とを具備することを要旨とする。
【００１７】
本発明の第３の特徴において、前記登録部が、所定期間、前記情報収集装置によって前記第１のＩＣチップＩＤが取得されなかった場合に送信された削除要求に含まれる前記第１のＩＣチップＩＤに係る登録を削除することが好ましい。
【００１８】
本発明の第３の特徴において、前記情報収集装置から送信された前記第１の登録要求に含まれる前記第１のＩＣチップＩＤが、前記登録部において他の情報識別情報を識別する他の情報収集装置ＩＤと関連付けられて登録されている場合、該他の情報収集装置に対して、該第１のＩＣチップＩＤと前記第１の登録要求に含まれる情報収集装置ＩＤとを含む移動通知を送信する移動通知部を具備することが好ましい。
【００１９】
【発明の実施の形態】
（本発明の一実施形態に係るＩＣチップ管理システムの構成）
本発明の一実施形態に係るＩＣチップ管理システムの構成について、図１乃至図５を参照して説明する。本実施形態に係るＩＣチップ管理システムは、ネットワーク１を介して接続されている情報収集装置（Ａ）３０ａと情報収集装置（Ｂ）３０ｂと情報管理サーバ５０とを用いて、複数のＩＣチップ１０ａ乃至１０ｃを管理するように構成されている。
【００２０】
本実施形態では、一例として、第１のＩＣチップ（Ｃ）１０ｃが付された「第１のモノ（コンテナ４）」が第２のＩＣチップ（Ｂ）１０ｂが付された「第２のモノ（ダンボールパック３）」を配下に包含するように構成されており、当該「第２のモノ（ダンボールパック３）」が第３のＩＣチップ（Ａ）１０ａが付された「第３のモノ（製品２）」を配下に包含するように構成されている「モノ（完成品）」を挙げて説明する。
【００２１】
なお、本発明に適用可能な「モノ（完成品）」は、これらに限定されることはなく、少なくとも第１のＩＣチップ（Ｃ）１０ｃが付された「第１のモノ（部品）」と第２のＩＣチップ（Ｂ）１０ｂが付された「第２のモノ（部品）」とによって構成されていればよい。
【００２２】
具体的には、本実施形態に係るＩＣチップ管理システムは、図１に示すように、情報収集装置（Ａ）３０ａと、情報収集装置（Ｂ）３０ｂと、情報管理サーバ５０とを具備している。
【００２３】
図２に示すように、製品２に付されたＩＣチップ（Ａ）１０ａ、ダンボールパック３に付されたＩＣチップ（Ｂ）１０ｂ及びコンテナ４に付されたＩＣチップ（Ｃ）１０ｃは、メモリ１１、及び情報収集装置インタフェース１２のみを具備する。ＩＣチップ（Ａ乃至Ｃ）１０ａ乃至１０ｃは、同一の機能を具備しているので、以下、ＩＣチップ（Ｃ）１０ｃについて説明する。
【００２４】
ＩＣチップ１０ｃは、図２に示すように、メモリ１１と、情報収集装置インタフェース１２のみを具備する。したがって、本実施形態に係るＩＣチップ１０ｃは、ＣＰＵによる演算処理を行わない。
【００２５】
ここで、「のみ」という意味は、ＩＣチップ１０ａ乃至１０ｊが、情報処理及び通信に係る機能として、メモリ（記憶部）１１及び情報収集装置インタフェース（通信部）１２のみを具備することを示すものであり、ＩＣチップ１０ａ乃至１０ｊが、装飾や補強等の他の機能として、他の構成要素を具備することを妨げるものではない。
【００２６】
メモリ１１は、ＩＣチップ（Ｃ）１０ｃを識別する固有ＩＤ（ＩＣチップＩＤ）１１ａと、属性情報１１ｂと、思考プログラム（プログラム）１１ｃと、リレーション情報１１ｄとを関連付けて記憶可能に構成されている。
【００２７】
ここで、固有ＩＤ１１ａは、当該ＩＣチップ（Ｃ）１０ｃが「リレーション情報１１ｄ」を有しているかについて判定可能に構成されている。例えば、「リレーション情報１１ｄ」を有しているか否かによって固有ＩＤ１１ａの番号体系を変更するように構成してもよいし、２進数表示の固有ＩＤ１１ａを構成する特定のビットによって「リレーション情報１１ｄ」を有しているか否かを示してもよい。
【００２８】
図１の例では、ＩＣチップ（Ｃ）１０ｃ及びＩＣチップ（Ｂ）の固有ＩＤ１１ａは、「リレーション情報１１ｄ」を有している旨を示し、ＩＣチップ（Ａ）１０ａの固有ＩＤ１１ａは、「リレーション情報１１ｄ」を有していない旨を示す。
【００２９】
また、属性情報１１ｂは、固有ＩＤ１１ａによって識別されるＩＣチップ（Ｃ）１０ｃが付されている「モノ（コンテナ４）」の特徴を示す情報である。例えば、属性情報１１ｂには、「モノ」の色や長さや状態等が含まれる。
【００３０】
また、思考プログラム１１ｃは、当該ＩＣチップ（Ｃ）１０ｃが付されている「モノ（コンテナ４）」特有のプログラムである。当該「モノ（コンテナ４）」は、思考プログラム１１ｃを実行することによって、仮想的に、自ら判断を行い、処理を行うことができる。
【００３１】
ＩＣチップ１０が付されている「モノ（部品）」が、「モノ（完成品）」の一部である場合や、ＩＣチップ１０が付されている「モノ」が、自ら判断を行い、処理を行う必要がない場合等は、思考プログラム１１ｃが、ＩＣチップ１０のメモリ１１内に記憶されていなくてもよい。
【００３２】
また、メモリ１１は、思考プログラム１１ｃ自身ではなく、当該思考プログラム１１ｃが格納されている場所についての情報（例えば、ＵＲＬ、ＩＰアドレス等）を記憶するように構成されていてもよい。この結果、ＩＣチップ（Ｃ）１０ｃは、メモリ１１の記憶容量を大幅に削減することができる。
【００３３】
また、リレーション情報１１ｄは、「モノ（又は、モノに付されたＩＣチップ１０）」同士のリレーション（包含関係等）を示す情報である。
【００３４】
例えば、本実施形態では、第１のＩＣチップ（Ｃ）１０ｃのメモリ１１に記憶されているリレーション情報１１ｄは、当該「第１のモノ（コンテナ４）」（又は、第１のＩＣチップ）が、「第２のモノ（ダンボールパック３）」（又は、第２のＩＣチップ）を配下に包含している旨を示す。
【００３５】
また、第２のＩＣチップ（Ｂ）１０ｂのメモリ１１に記憶されているリレーション情報１１ｄは、当該「第２のモノ（ダンボールパック３）」（又は、第２のＩＣチップ）が、「第３のモノ（製品２）」（又は、第３のＩＣチップ）を配下に包含している旨を示す。
【００３６】
また、第３のＩＣチップ（Ａ）１０ａのメモリ１１には、リレーション情報１１ｄは記憶されていない。
【００３７】
情報収集装置インタフェース１２は、情報収集装置３０との間で無線通信を行うことが可能な無線通信部である。情報収集装置インタフェース１２は、情報収集装置３０からの問い合わせ信号（ブロードキャスト信号）に応じて、メモリ１１内の固有ＩＤ１１ａ及び属性情報１１ｂを返送する。また、情報収集装置インタフェース１２は、情報収集装置３０からのリレーション情報送信要求に応じて、メモリ１１内のリレーション情報１１ｄを返送する。また、情報収集装置インタフェース１２は、情報収集装置３０からの思考プログラム送信要求に応じて、メモリ１１内の思考プログラム１１ｃを返送する。例えば、情報収集装置インタフェース１２は、ＲＦＩＤ等の通信手段によって構成されている。
【００３８】
情報収集装置３０は、所定エリアに存在する「モノ」に係る情報を収集するための装置である。情報収集装置３０は、「モノ」に付されたＩＣチップ１０から収集した「モノ」に係る情報を、ネットワーク１を介して情報管理サーバ５０に送信する。また、情報収集装置３０は、ネットワーク１に接続されているネットワーク機器（図示せず）に対して、所定の命令を行うことができる。
【００３９】
具体的には、情報収集装置３０は、図３に示すように、ＩＣチップインタフェース３１と、固有ＩＤ取得部３２と、プログラム取得部３３と、ＩＣチップ管理部３４と、プログラム実行部３５と、固有ＩＤ登録制御部３６と、情報取得部３７と、ネットワークインタフェース３８と、リレーション情報取得部３９とを具備している。
【００４０】
ＩＣチップインタフェース３１は、ＩＣチップ１０との間で無線通信を行うことが可能な無線通信部である。例えば、ＩＣチップインタフェース３１は、ＲＦＩＤ等の通信手段によって構成されている。
【００４１】
固有ＩＤ取得部３２は、ＩＣチップ１０の情報収集装置インタフェース１２及びＩＣチップインタフェース３１を介して、ＩＣチップ１０のメモリ１１に記憶されている「固有ＩＤ（第１のＩＣチップＩＤ「Ｃ」や第２のＩＣチップＩＤ「Ｂ」や第３のＩＣチップＩＤ「Ｃ」等）１１ａ」及び「属性情報１１ｂ」を取得するＩＣチップＩＤ取得部を構成する。
【００４２】
具体的には、固有ＩＤ取得部３２は、ＩＣチップインタフェース３１を介して、所定エリアに到達可能なブロードキャスト信号で、問い合わせ信号を送信することによって、上述の「固有ＩＤ１１ａ」及び「属性情報１１ｂ」を取得する。
【００４３】
プログラム取得部３３は、情報管理サーバ５０から送信された第２の登録要求に対する登録完了応答に応じて、ＩＣチップ１０の情報収集装置インタフェース１２及びＩＣチップインタフェース３１を介して、ＩＣチップ１０のメモリ１１に記憶されている思考プログラム１１ｃを取得するモジュールである。
【００４４】
具体的には、プログラム取得部３３は、ＩＣチップインタフェース３１を介して、上述の固有ＩＤ１１ａにより識別されるＩＣチップ１０に対して思考プログラム送信要求を送信することによって、上述の思考プログラム１１ｃを取得する。
【００４５】
また、プログラム取得部３３は、ＩＣチップ１０の情報収集装置インタフェース１２及びＩＣチップインタフェース３１を介して、ＩＣチップ１０のメモリ１１に記憶されている思考プログラム１１ｃの格納情報を取得して、当該思考プログラム１１ｃの格納情報に基づいて、ネットワークインタフェース３８を介して、思考プログラム１１ｃを取得するように構成されていてもよい。
【００４６】
ＩＣチップ管理部３４は、固有ＩＤ取得部３２によって取得された固有ＩＤ３４ａ及び属性情報３４ｂと、プログラム取得部３３によって取得された思考プログラム及び当該思考プログラムの実行結果に係るプログラム情報３４ｃと、リレーション情報取得部３９によって取得されたリレーション情報３４ｄとを管理する管理部を構成する。
【００４７】
ここで、プログラム情報３４ｃには、思考プログラム自身や、思考プログラムの実行結果や、思考プログラムの実行途中のデータ（プログラム変数）等も含まれている。
【００４８】
また、リレーション情報３４ｄは、ＩＣチップ１０に記憶されているリレーション情報１１ｄと同一の構造のものであってもよいし、当該リレーション情報１１ｄを変更した構造のものであってもよい。
【００４９】
また、ＩＣチップ管理部３４は、固有ＩＤ毎に、固有ＩＤ３４ａと属性情報３４ｂとプログラム情報３４ｃとリレーション情報３４ｄとを管理してもよいし、包含関係にある固有ＩＤグループ毎に、固有ＩＤ３４ａと属性情報３４ｂとプログラム情報３４ｃとリレーション情報３４ｄとを管理してもよい。
【００５０】
プログラム実行部３５は、プログラム取得部３３によって取得された思考プログラムを実行するモジュールである。プログラム実行部３５は、思考プログラムの実行結果や思考プログラムの実行途中のデータ等を定期的にＩＣチップ管理部３４に送信する。
【００５１】
また、プログラム実行部３５は、思考プログラムの実行結果に応じて、ネットワークインタフェース３８を介して、ネットワーク機器（図示せず）に対して所定動作を行うように命令するように構成されていてもよい。
【００５２】
また、プログラム実行部３５は、情報管理サーバ５０から送信された移動通知に応じて、当該移動通知において指示されている情報収集装置３０に、思考プログラムや思考プログラムの実行結果等を含むプログラム情報３４ｃを送信するように構成されていてもよい。
【００５３】
固有ＩＤ登録制御部３６は、固有ＩＤ取得部３２によって取得された「第１の固有ＩＤ「Ｃ」」と「属性情報」と当該情報収集装置３０を識別する「情報収集装置ＩＤ」とを含む第１の登録要求を、ネットワーク１を介して情報管理サーバ５０に送信する登録要求送信部を構成する。
【００５４】
また、固有ＩＤ登録制御部３６は、第１の固有ＩＤ「Ｃ」と第２の固有ＩＤ「Ｂ」とのリレーション情報に基づいて、第２の固有ＩＤ「Ｂ」を第１の固有ＩＤ「Ｃ」に関連付けて登録するように要求する第２の登録要求を、ネットワーク１を介して情報管理サーバ５０に送信する。
【００５５】
本実施形態では、固有ＩＤ登録制御部３６は、情報管理サーバ５０から送信された第１の登録要求に対する登録完了応答に応じて、固有ＩＤ取得部３２によって取得された第２の固有ＩＤ「Ｂ」を第１の固有ＩＤ「Ｃ」の配下に登録するように要求し、固有ＩＤ取得部３２によって取得された第３の固有ＩＤ「Ａ」を第２の固有ＩＤ「Ｂ」の配下に登録するように要求する第２の登録要求を、ネットワーク１を介して情報管理サーバ５０に送信する。
【００５６】
また、固有ＩＤ登録制御部３６は、情報管理サーバ５０から送信された第２の登録要求に対する登録完了応答を受信して、その旨を固有ＩＤ取得部３２に通知する。
【００５７】
また、固有ＩＤ登録制御部３６は、所定期間、固有ＩＤ取得部３２によって第１の固有ＩＤ「Ｃ」が取得されなかった場合、第１の固有ＩＤ「Ｃ」を含む削除要求を、ネットワーク１を介して情報管理サーバ５０に送信する削除要求送信部を構成する。
【００５８】
情報取得部３７は、所定情報を記憶している他の情報収集装置３０又はネットワーク機器（図示せず）のアドレス情報を情報管理サーバ５０から取得し、取得した当該アドレス情報（例えば、ＵＲＬやＩＰアドレス等）に基づいて、当該他の情報収集装置３０又はネットワーク機器から当該所定情報を取得するモジュールである。ここで、所定情報として、位置情報や気温情報や気圧情報等が考えられている。
【００５９】
ネットワークインタフェース３８は、ネットワーク１を介して、他の情報収集装置３０や情報管理サーバ５０と通信可能なモジュールである。
【００６０】
情報管理サーバ５０は、図４に示すように、ネットワークインタフェース５１と、登録制御部５２と、登録部５３と、移動通知部５４とを具備している。
【００６１】
ネットワークインタフェース５１は、上述のネットワークインタフェース３８と同一の機能を具備する。
【００６２】
登録制御部５２は、ネットワークインタフェース５１を介して、情報収集装置３０から送信された第１の登録要求及び第２の登録要求を受信して登録部５３に送信するモジュールである。また、登録制御部５２は、登録部５３が、上述の第１の登録要求又は第２の登録要求に係る登録を完了した場合、その旨を通知する登録完了応答を、ネットワークインタフェース５１を介して情報収集装置３０に送信する登録完了応答送信部を構成する。
【００６３】
登録部５３は、情報収集装置３０から送信された第１の登録要求に応じて、「第１の固有ＩＤ「Ｃ」」と「属性情報」と「情報収集装置ＩＤ「Ａ」」とを関連付けて登録するモジュールである。
【００６４】
また、登録部５３は、情報収集装置３０から送信された第２の登録要求に応じて、第１の固有ＩＤ「Ｃ」及び第２の固有ＩＤ「Ｂ」を関連付けて登録する。本実施形態では、図５に示すように、登録部５３は、上述の第１の固有ＩＤ「Ｃ」の配下に、上述の第２の登録要求に含まれる第２の固有ＩＤ「Ｂ」を登録する。また、登録部５３は、図５に示すように、上述の第２の固有ＩＤ「Ｂ」の配下に、上述の第３の登録要求に含まれる第３の固有ＩＤ「Ａ」を登録する。
【００６５】
具体的には、登録部５３は、図５に示すように、第１の固有ＩＤ「Ｃ」と第２の固有ＩＤ「Ｂ」と第３の固有ＩＤ「Ａ」とのリレーション（包含関係）を登録する。
【００６６】
図５の例は、第１のＩＣチップ（Ｃ）１０ａ（ＩＣチップＩＤ＝１００３５２）が、情報収集装置（Ａ）３０ａに登録されており（図５の（ア）参照）、第１のＩＣチップ（Ｃ）１０ａ（ＩＣチップＩＤ＝１００３５２）が、第２のＩＣチップ（Ｂ）１０ｂ（ＩＣチップＩＤ＝１００４７２）を包含しており（図５の（イ）参照）、第２のＩＣチップ（Ｂ）１０ａ（ＩＣチップＩＤ＝１００４７２）が、第３のＩＣチップ（Ａ）１０ａ（ＩＣチップＩＤ＝０００１５３）を包含している（図５の（ウ）参照）ことを示している。
【００６７】
ここで、ＩＣチップＩＤの最上位ビットが、他のＩＣチップとのリレーション情報を有しているか否か、例えば、他のＩＣチップを配下に包含しているか否かを示すフラグとして機能する。
【００６８】
図５の例では、当該フラグが「１」であるＩＣチップ（Ｂ、Ｃ）は、他のＩＣチップを配下に包含しており、当該フラグが「０」であるＩＣチップ（Ａ）は、他のＩＣチップを配下に包含していないように設定されている。
【００６９】
また、登録部５３は、情報収集装置３０ｂから送信された第１の登録要求に含まれる第１の固有ＩＤ「Ｃ」が、他の情報識別情報３０ａを識別する他の情報収集装置ＩＤ「Ａ」と関連付けられて登録されている場合、当該第１の固有ＩＤ「Ｃ」と属性情報と当該第１の登録要求に含まれる情報収集装置ＩＤ「Ｂ」とを関連付けて登録する。
【００７０】
また、登録部５３は、情報収集装置３０から送信された削除要求に含まれる第１の固有ＩＤ「Ｃ」に係る登録を削除する。
【００７１】
また、登録部５３は、情報収集装置３０ｂから送信された第１の登録要求に含まれる第１の固有ＩＤ「Ｃ」が、他の情報識別情報３０ａを識別する他の情報収集装置ＩＤ「Ａ」と関連付けられて登録されている場合、その旨を移動通知部５４に通知すると共に、第１の固有ＩＤ「Ｃ」と情報収集装置ＩＤ「Ａ」とを関連付けて登録する。
【００７２】
移動通知部５４は、情報収集装置３０ｂから送信された第１の登録要求に含まれる第１の固有ＩＤ「Ｃ」が、登録部５３において他の情報識別情報３０ａを識別する他の情報収集装置ＩＤ「Ａ」と関連付けられて登録されている場合、他の情報収集装置３０ａに対して、第１の固有ＩＤ「Ｃ」及び情報収集装置ＩＤ「Ａ」を含む移動通知を送信するモジュールである。
【００７３】
（本実施形態に係るＩＣチップ管理システムの動作）
本実施形態に係るＩＣチップ管理システムの動作を、図６及び図７を参照にして説明する。
【００７４】
第１に、図６を参照して、本実施形態に係るＩＣチップ管理システムにおけるＩＣチップ１０の登録動作を説明する。
【００７５】
図６に示すように、ステップ７０１において、情報収集装置Ａの固有ＩＤ取得部３２が、ネットワークインタフェース３１を介して、所定エリアに到達可能なブロードキャスト信号で、問い合わせ信号を送信する。ステップ７０２において、ＩＣチップＡ乃至Ｃの情報収集装置インタフェース１２が、上述の問い合わせ信号に応じて、メモリ１１に記憶されている固有ＩＤ「Ａ乃至Ｃ」及び属性情報を、情報収集装置Ａに返送する。
【００７６】
ステップ７０３において、情報収集装置ＡのＩＣチップ管理部３４が、ネットワークインタフェース３１及び固有ＩＤ取得部３２を介して、ＩＣチップＡ乃至Ｃから取得した固有ＩＤ「Ａ乃至Ｃ」及び属性情報を記憶する。ここで、リレーション情報取得部３９は、固有ＩＤ取得部３２により取得された固有ＩＤ「Ａ乃至Ｃ」に基づいて、固有ＩＤ「Ａ乃至Ｃ」により識別されるＩＣチップＡ乃至Ｃの各々が、リレーション情報を有しているか否かについて解析する。本実施形態では、第１のＩＣチップＣ及び第２のＩＣチップＢが、リレーション情報を有していると判断する。
【００７７】
情報収集装置Ａのリレーション情報取得部３９は、ステップ７０４において、上述の解析結果に基づいて、第１のＩＣチップＣに対してリレーション情報要求を送信し、ステップ７０５において、第１のＩＣチップＣのメモリ１１に記憶されているリレーション情報を取得する。
【００７８】
また、情報収集装置Ａのリレーション情報取得部３９は、ステップ７０６において、上述の解析結果に基づいて、第２のＩＣチップＢに対してリレーション情報要求を送信し、ステップ７０７において、第２のＩＣチップＢのメモリ１１に記憶されているリレーション情報を取得する。
【００７９】
本実施形態では、情報収集装置Ａのリレーション情報取得部３９は、リレーション情報を有していないと判断された第１のＩＣチップＡに対しては、リレーション情報要求を送信しない。
【００８０】
ステップ７０８において、情報収集装置Ａの固有ＩＤ登録制御部３６が、第１のＩＣチップＣ及び第２のＩＣチップＢから送信されたリレーション情報に基づいて、固有ＩＤ「Ａ乃至Ｃ」同士のリレーション（包含関係）を解析する。本実施形態では、固有ＩＤ「Ａ乃至Ｃ」のリレーションは、第１の固有ＩＤ「Ｃ」が第２の固有ＩＤ「Ｂ」を包含しており、第２の固有ＩＤ「Ｂ」が第３の固有ＩＤ「Ａ」を包含していると判断される。
【００８１】
ステップ７０９において、情報収集装置Ａの固有ＩＤ登録制御部３６が、上述の解析結果に基づいて、第１の固有ＩＤ「Ｃ」と属性情報と当該情報収集装置Ａを識別する情報収集装置ＩＤ「Ａ」とを含む第１の登録要求を、ネットワーク１を介して情報管理サーバ５０に送信する。
【００８２】
ステップ７１０において、情報管理サーバ５０の登録部５３が、ネットワークインタフェース５１及び登録制御部５２を介して受信した第１の登録要求に含まれる第１の固有ＩＤ「Ｃ」と属性情報と当該情報収集装置Ａを識別する情報収集装置ＩＤ「Ａ」とを関連付けて登録する。ステップ７１１において、登録制御部５２が、第１の登録要求に対する登録の完了を通知する登録完了応答を情報収集装置Ａに送信する。
【００８３】
ステップ７１２において、情報収集装置Ａの固有ＩＤ登録制御部３６が、上述の解析結果に基づいて、第２の固有ＩＤ「Ｂ」を第１の固有ＩＤ「Ｃ」の配下に包含するように、かつ第３の固有ＩＤ「Ａ」を第２の固有ＩＤ「Ｂ」の配下に包含するように要求する第２の登録要求を、ネットワーク１を介して情報管理サーバ５０に送信する。
【００８４】
ステップ７１３において、情報管理サーバ５０の登録部５３が、ネットワークインタフェース５１及び登録制御部５２を介して受信した第２の登録要求に応じて、第１の固有ＩＤ「Ｃ」と第２の固有ＩＤ「Ｂ」とを関連付けて登録し、第２の固有ＩＤ「Ｂ」と第３の固有ＩＤ「Ａ」とを関連付けて登録する。ステップ７１４において、登録制御部５２が、第２の登録要求に対する登録の完了を通知する登録完了応答を情報収集装置Ａに送信する。
【００８５】
ステップ７１５において、情報収集装置ＡのＩＣチップ管理部３４が、ネットワークインタフェース３８及び固有ＩＤ登録制御部３６を介して、第２の登録要求に対する登録完了応答を受信した場合、プログラム取得部３３が、思考プログラム送信要求をＩＣチップインタフェース３１を介してＩＣチップ１０に送信する。
【００８６】
ステップ７１６において、第１のＩＣチップＣの情報収集装置インタフェース１２が、思考プログラム送信要求に応じて、メモリ１１に記憶されている思考プログラムが存在する場合、当該思考プログラムを情報収集装置３０に送信する。ステップ７１７において、情報収集装置３０のプログラム実行部３５が、ＩＣチップＣから送信された思考プログラムを実行する。
【００８７】
第２に、図７を参照して、本実施形態に係るＩＣチップ管理システムにおけるＩＣチップの移動動作を説明する。
【００８８】
図７に示すように、ステップ９０１において、ＩＣチップＡ乃至Ｃが、情報収集装置Ａが管理するエリアＡ内に存在しており、情報収集装置Ａのプログラム実行部３５が、第１のＩＣチップＣのメモリ１１に記憶されている思考プログラム１１ｃを実行している。
【００８９】
ステップ９０２において、ＩＣチップＡ乃至Ｃが、情報収集装置Ａが管理するエリアＡから情報収集装置Ｂが管理するエリアＢに移動する。その際、情報収集装置Ｂの固有ＩＤ取得部３２が、エリアＢに到達可能なブロードバンド信号で、問い合わせ信号を送信する。
【００９０】
ステップ９０３において、ＩＣチップＡ乃至Ｃの情報収集装置インタフェース１２が、問い合わせ信号に応じて、メモリ１１に記憶されている固有ＩＤ「Ａ乃至Ｃ」及び属性情報を、情報収集装置Ｂに返送する。
【００９１】
ステップ９０４において、情報収集装置ＡのＩＣチップ管理部３４が、ネットワークインタフェース３１及び固有ＩＤ取得部３２を介して、ＩＣチップＡ乃至Ｃから取得した固有ＩＤ「Ａ乃至Ｃ」及び属性情報を記憶する。ここで、リレーション情報取得部３９は、固有ＩＤ取得部３２により取得された固有ＩＤ「Ａ乃至Ｃ」に基づいて、固有ＩＤ「Ａ乃至Ｃ」により識別されるＩＣチップＡ乃至Ｃの各々が、リレーション情報を有しているか否かについて解析する。本実施形態では、第１のＩＣチップＣ及び第２のＩＣチップＢが、リレーション情報を有していると判断する。
【００９２】
情報収集装置Ａのリレーション情報取得部３９は、ステップ９０５において、上述の解析結果に基づいて、第１のＩＣチップＣに対してリレーション情報要求を送信し、ステップ９０６において、第１のＩＣチップＣのメモリ１１に記憶されているリレーション情報を取得する。
【００９３】
また、情報収集装置Ａのリレーション情報取得部３９は、ステップ９０７において、上述の解析結果に基づいて、第２のＩＣチップＢに対してリレーション情報要求を送信し、ステップ９０８において、第２のＩＣチップＢのメモリ１１に記憶されているリレーション情報を取得する。
【００９４】
本実施形態では、情報収集装置Ａのリレーション情報取得部３９は、リレーション情報を有していないと判断された第１のＩＣチップＡに対しては、リレーション情報要求を送信しない。
【００９５】
ステップ９０９において、情報収集装置Ａの固有ＩＤ登録制御部３６が、第１のＩＣチップＣ及び第２のＩＣチップＢから送信されたリレーション情報に基づいて、固有ＩＤ「Ａ乃至Ｃ」同士のリレーション（包含関係）を解析する。本実施形態では、固有ＩＤ「Ａ乃至Ｃ」のリレーションは、第１の固有ＩＤ「Ｃ」が第２の固有ＩＤ「Ｂ」を包含しており、第２の固有ＩＤ「Ｂ」が第３の固有ＩＤ「Ａ」を包含していると判断される。
【００９６】
ステップ９１０において、情報収集装置Ａの固有ＩＤ登録制御部３６が、上述の解析結果に基づいて、第１の固有ＩＤ「Ｃ」と属性情報と当該情報収集装置Ａを識別する情報収集装置ＩＤ「Ａ」とを含む第１の登録要求を、ネットワーク１を介して情報管理サーバ５０に送信する。
【００９７】
ステップ９１１において、情報収集装置Ｂから送信された第１の登録要求に含まれる第１の固有ＩＤ「Ｃ」が、情報管理サーバ５０の登録部５３において他の情報識別情報Ａを識別する他の情報収集装置ＩＤ「Ａ」と関連付けられて登録されている。ここで、情報管理サーバ５０の登録部５３が、当該第１の登録要求に含まれる第１の固有ＩＤ「Ｃ」と属性情報と当該情報収集装置Ｂを識別する情報収集装置ＩＤ「Ｂ」とを関連付けるように、当該第１の固有ＩＤに係る登録情報を変更する。
【００９８】
ステップ９１２において、情報管理サーバ５０の移動通知部５４は、ネットワークインタフェース５１を介して、当該他の情報収集装置Ａに対して、固有ＩＤ「Ｃ」と情報収集装置ＩＤ「Ｂ」とを含む移動通知を送信する。
【００９９】
ステップ９１３において、他の情報収集装置Ａのプログラム実行部３５は、情報管理サーバ５０から送信された移動通知に応じて、当該移動通知において指示されている情報収集装置Ｂに、思考プログラムを含むプログラム情報を送信する。
【０１００】
ステップ９１４において、情報収集装置３０ｂのプログラム取得部３３は、上述の思考プログラムを含むプログラム情報を受信した旨を通知する肯定応答を、ネットワークインタフェース３１を介して情報収集装置Ａに対して返送する。
【０１０１】
ステップ９１５において、他の情報収集装置ＡのＩＣチップ管理部３４は、上述の移動通知に含まれていた第１の固有ＩＤ「Ｃ」に係る登録情報を削除する。ステップ９１６において、情報収集装置Ｂのプログラム実行部３５が、他の情報収集装置３０ａから送信されたプログラム情報に基づいて思考プログラムを実行する。
【０１０２】
（本実施形態に係るＩＣチップ管理システムの作用・効果）
本実施形態に係るＩＣチップ管理システムによれば、情報管理サーバ５０の登録部５３が、情報収集装置３０ａから送信された第１の登録要求に応じて、第１のＩＣチップＩＤ「Ｃ」及び情報収集装置ＩＤ「Ａ」を関連付けて登録し、情報収集装置３０から送信された第２の登録要求に応じて、第１のＩＣチップＩＤ「Ｃ」及び第２のＩＣチップＩＤ「Ｂ」を関連付けて登録するため、第１のＩＣチップＣが付された「第１のモノ（コンテナ４）」が、第２のＩＣチップＢが付された「第２のモノ（ダンボールパック３）」を配下に包含するようにして構成されている「モノ（完成品）」が存在する場合に、複数の「第１のモノ（部品）」の各々を管理する必要がなくなり、情報管理サーバ５０における管理負荷を軽減することができる。
【０１０３】
また、本実施形態に係るＩＣチップ管理システムによれば、情報収集装置３０ａのプログラム実行部３５が、第１のＩＣチップＣのメモリ１１に記憶されている思考プログラムのみを実行するため、第１のＩＣチップＣが付された「第１のモノ（コンテナ４）」が、第２のＩＣチップＢが付された「第２のモノ（第ダンボールパック３）」を配下に包含するようにして構成されている「モノ（完成品）」が存在する場合に、複数の「第１のモノ（部品）」の各々の思考プログラムを実行する必要がなくなり、情報収集装置３０ａにおける思考プログラムの実行負荷を軽減することができる。
【０１０４】
また、本実施形態に係るＩＣチップ管理システムによれば、情報管理サーバ５０の登録部５３が、情報収集装置３０から送信された第１のＩＣチップＩＤ「Ｃ」を含む削除要求を受信した場合、当該第１のＩＣチップＩＤ「Ｃ」に係る登録（すなわち、第１のＩＣチップＩＤと第２のＩＣチップＩＤと情報収集装置ＩＤとを関連付けるレコード）を削除するため、情報収集装置３０の固有ＩＤ登録制御部３６が「モノ（完成品）」を構成する全ての「モノ（部品）」について削除要求を送信する必要がなく、情報管理サーバ５０において管理が不要となった「モノ（完成品）」に係る情報の削除を効率的に行うことができる。
【０１０５】
また、本実施形態に係るＩＣチップ管理システムによれば、情報管理サーバ５０の移動通知部５４が、上述の「モノ（完成品）」の他の情報収集装置３０ａの管理下から所定の情報収集装置３０ｂの管理下への移動を検知し、情報管理サーバ５０の登録部５３が、第１のＩＣチップＩＤ「Ｃ」と第１の登録要求に含まれる情報収集装置ＩＤ「Ｂ」とを関連付けて登録するため、複数の「第１のモノ（部品）」からなる「モノ（完成品）」が移動した場合であっても、情報管理サーバ５０における管理の変更を容易に行うことができる。
【０１０６】
また、本実施形態に係るＩＣチップ管理システムによれば、他の情報収集装置３０ａのプログラム実行部３５が、「第１のモノ（コンテナ４）」に付されたＩＣチップ「Ｃ」に係るプログラム情報を所定の情報収集装置３０ｂに送信するため、所定の情報収集装置３０ｂのプログラム実行部３５は、他の情報収集装置３０ａによる思考プログラムの実行状態を継続して思考プログラムを実行することができる。
【０１０７】
【発明の効果】
以上説明したように本発明によれば、複数の「モノ（部品）」から構成されている「モノ（完成品）」の存在を考慮したユビキタスコンピューティングを実現するためのＩＣチップ管理システム、情報収集装置及び情報管理サーバを提供することができる。
【図面の簡単な説明】
【図１】本発明の一実施形態に係るＩＣチップ管理システムの全体構成図である。
【図２】本発明の一実施形態に係るＩＣチップ管理システムのＩＣチップの機能ブロック図である。
【図３】本発明の一実施形態に係るＩＣチップ管理システムの情報収集装置の機能ブロック図である。
【図４】本発明の一実施形態に係るＩＣチップ管理システムの情報管理サーバの機能ブロック図である。
【図５】本発明の一実施形態に係るＩＣチップ管理システムの情報管理サーバの登録部における登録内容の一例を示す図である。
【図６】本発明の一実施形態に係るＩＣチップ管理システムにおけるＩＣチップの登録動作を示すシーケンス図である。
【図７】本発明の一実施形態に係るＩＣチップ管理システムにおけるＩＣチップの移動動作を示すシーケンス図である。
【符号の説明】
１…ネットワーク
１０…ＩＣチップ
１１…メモリ
１２…情報収集装置インタフェース
３０…情報収集装置
３１…ＩＣチップインタフェース
３２…固有ＩＤ取得部
３３…プログラム取得部
３４…ＩＣチップ管理部
３５…プログラム実行部
３６…固有ＩＤ登録制御部
３７…情報取得部
３８、５１…ネットワークインタフェース
３９…リレーション情報取得部
５０…情報管理サーバ
５２…登録制御部
５３…登録部
５４…移動通知部
【図１】
2004246505.tif 000003
【図２】
2004246505.tif 000004
【図３】
2004246505.tif 000005
【図４】
2004246505.tif 000006
【図５】
2004246505.tif 000007
【図６】
2004246505.tif 000008
【図７】
2004246505.tif 000009